(57)【特許請求の範囲】
【請求項１】
無線周波数（ＲＦ）受信システムであって、
Ｃ／Ａコードを有する全地球ナビゲーション衛星システム（ＧＮＳＳ）信号に対応するＲＦ入力信号を受信するように構成されたアンテナと、
前記ＲＦ入力信号を処理して等価デジタル信号を生成するように構成されたＲＦ信号フロントエンドシステムと、
なりすまし検出システムであって、
なりすまし信号成分を含んでいないことがわかっている基準ＲＦ信号に関連した所定の基準パワースペクトル密度（ＰＳＤ）を記憶するように構成されたメモリと、
前記等価デジタル信号の時間平均化されたＰＳＤを生成するように構成されたＰＳＤプロセッサと、
ＰＳＤコンパレータであって、
前記等価デジタル信号の時間平均化されたＰＳＤをフィルタリングして、前記Ｃ／Ａコードに関連する時間平均化されたサンプルを除去し、
所定の基準ＰＳＤをフィルタリングして、前記基準ＲＦ信号の個々のＣ／Ａコードに関連する時間平均化されたサンプルを除去し、
フィルタリング済みの所定の基準ＰＳＤと相対的な前記等価デジタル信号のフィルタリング済みの前記時間平均化されたＰＳＤに統計的差分アルゴリズムを実施して、前記ＲＦ入力信号中のなりすまし信号成分を検出するように構成された前記ＰＳＤコンパレータとを含む、前記なりすまし検出システムとを備える、無線周波数受信システム。
【請求項２】
前記なりすまし検出システムは、前記等価デジタル信号の前記時間平均化されたＰＳＤおよび前記基準ＰＳＤを正規化する正規化コンポーネントをさらに備え、前記ＰＳＤコンパレータは、前記統計的差分アルゴリズムに基づいて前記等価デジタル信号の正規化済みの時間平均化されたＰＳＤと正規化済みの基準ＰＳＤとを比較するように構成されている、請求項１に記載の無線周波数受信システム。
【請求項３】
前記統計的差分アルゴリズムは、前記所定の基準ＰＳＤと前記等価デジタル信号の前記ＰＳＤとの間の差分の標準偏差を生成することを含み、前記ＰＳＤコンパレータは、しきい値を超える前記差分の標準偏差に応答して前記ＲＦ入力信号中の前記なりすまし信号成分を検出するように構成されている、請求項１に記載の無線周波数受信システム。
【請求項４】
前記ＰＳＤプロセッサは、記憶された所定の基準ＰＳＤを所定の時間ブロック数に亘って平均化して、時間平均化された所定のＰＳＤを生成するように構成されている、請求項１に記載の無線周波数受信システム。
【請求項５】
前記等価デジタル信号の時間平均化されたＰＳＤは、所定の基準ＰＳＤに関連した時間平均化の所定の時間ブロック数と等しい所定の時間ブロック数に亘って生成される、請求項４に記載のシステム。
【請求項６】
無線周波数（ＲＦ）受信システムであって、
Ｃ／Ａコードを有する全地球測位網（ＧＰＳ）信号に対応するＲＦ入力信号を受信するように構成されたアンテナと、
前記ＲＦ入力信号を処理して等価デジタル信号を生成するように構成されたＲＦ信号フロントエンドシステムと、
なりすまし検出システムであって、
なりすまし信号成分を含んでいないことがわかっている基準ＲＦ信号に関連した所定の基準パワースペクトル密度（ＰＳＤ）を記憶するように構成されたメモリと、
前記等価デジタル信号の時間平均化されたＰＳＤを生成するように構成されたＰＳＤプロセッサと、
前記等価デジタル信号の前記時間平均化されたＰＳＤおよび基準ＰＳＤを正規化する正規化コンポーネントと、
ＰＳＤコンパレータであって、
前記等価デジタル信号の時間平均化されたＰＳＤをフィルタリングして、前記Ｃ／Ａコードに関連する時間平均化されたサンプルを除去し、
所定の基準ＰＳＤをフィルタリングして、前記基準ＲＦ信号の個々のＣ／Ａコードに関連する時間平均化されたサンプルを除去し、
前記等価デジタル信号のフィルタリングおよび正規化された時間平均化済みのＰＳＤとフィルタリングおよび正規化された所定の基準ＰＳＤとを比較して、前記ＲＦ入力信号中のなりすまし信号成分の存在を検出するように構成された前記ＰＳＤコンパレータとを含む、前記なりすまし検出システムとを備える、無線周波数受信システム。
【請求項７】
前記ＰＳＤコンパレータは、前記等価デジタル信号の正規化されたＰＳＤと正規化された所定の基準ＰＳＤとの間の差分の標準偏差に基づいて前記等価デジタル信号の正規化された時間平均化済みのＰＳＤと正規化された所定の基準ＰＳＤとを比較して、しきい値を超える差分の標準偏差に応答して前記ＲＦ入力信号中のなりすまし信号成分を検出するように構成されている、請求項６に記載の無線周波数受信システム。
【請求項８】
前記ＰＳＤプロセッサは、記憶された所定の基準ＰＳＤを所定の時間ブロック数に亘って平均化して、時間平均化された所定のＰＳＤを生成するように構成されている、請求項６に記載の無線周波数受信システム。
【請求項９】
前記等価デジタル信号の前記時間平均化されたＰＳＤは、所定の基準ＰＳＤに関連した時間平均化の所定の時間ブロック数と等しい所定の時間ブロック数に亘って生成される、請求項８に記載の無線周波数受信システム。
【発明の詳細な説明】
【技術分野】
【０００１】
本発明は、概して、無線周波数（ＲＦ）受信システムに関し、具体的には、ＲＦ信号のなりすましを検出するシステムおよび方法に関する。
【背景技術】
【０００２】
全地球測位衛星（ＧＰＳ）信号のような、特定の符号化された無線周波数（ＲＦ）信号は、雑音およびその他の干渉、あるいは雑音またはその他の干渉と比べて振幅が弱いことがある。例えば、ＧＰＳ信号は、熱雑音のためにパワーよりも約３０ｄＢ弱い。そのため、このような信号は妨害やなりすましに対して脆弱となり得る。一例として、いくつかの妨害のシナリオでは、ＲＦ信号は意図的な干渉のためにその検出が困難である。なりすましでは、ＲＦ信号（例えばＧＰＳ信号）と類似した信号を送信することによって、虚偽の情報を信号受信者に与える。ＧＰＳ信号になりすます方法の一例はミーコニングと呼ばれ、このミーコニングでは、なりすまし者が、ＧＰＳ受信者を混乱させるために、ＧＰＳ信号に遅延を持たせて再配信する。
【発明の概要】
【課題を解決するための手段】
【０００３】
本発明の一実施形態は、無線周波数（ＲＦ）受信システムを含んでいる。このシステムは、ＲＦ入力信号を受信するように構成されたアンテナと、ＲＦ入力信号を処理して、等価デジタル信号を生成するように構成されたＲＦ信号フロントエンドシステムとを含む。このシステムはまた、等価デジタル信号のパワースペクトル密度（ＰＳＤ）を分析し、等価デジタル信号のＰＳＤを所定の基準ＰＳＤと比較して、ＲＦ入力信号中のなりすまし信号成分の存在を検出するように構成されたなりすまし検出システムを含む。
【０００４】
本発明の別の実施形態は、入力無線周波数（ＲＦ）信号中のなりすまし信号成分を検出する方法を実施するように構成された非一時的なコンピュータ可読媒体を含む。この方法は、所定のＲＦ信号に関連した基準ＰＳＤを生成するステップと、ＲＦ入力信号を受信するステップとを含む。この方法はまた、ＲＦ入力信号を処理して、等価デジタル信号を生成するステップと、等価デジタル信号のＰＳＤを生成するステップとを含んでいる。この方法は、等価デジタル信号のＰＳＤを基準ＰＳＤと比較して、入力ＲＦ信号中のなりすまし信号成分の存在を検出するステップをさらに含んでいる。
【０００５】
本発明のまた別の実施形態は、ＲＦ受信システムを含む。このシステムは、ＲＦ入力信号を受信するように構成されたアンテナと、ＲＦ入力信号を処理して、等価デジタル信号を生成するように構成されたＲＦ信号フロントエンドシステムと、なりすまし検出システムとを含む。なりすまし検出システムは、なりすまし信号成分を含んでいないことがわかっている基準ＲＦ信号と対応する所定の基準ＰＳＤを記憶するように構成されたメモリを含む。なりすまし検出システムはまた、等価デジタル信号の時間平均化されたＰＳＤを生成するように構成されたＰＳＤプロセッサと、所定の基準ＰＳＤに対する等価デジタル信号の時間平均化されたＰＳＤに対する統計的差分アルゴリズムを実施して、ＲＦ入力信号中のなりすまし信号成分を検出するように構成されたＰＳＤコンパレータとを含む。
【図面の簡単な説明】
【０００６】
【図１】本発明の一態様における無線周波数（ＲＦ）受信システムの一例を示す。
【図２】本発明の一態様によるなりすまし検出システムの一例を示す。
【図３】本発明の一態様によるＲＦ信号のパワースペクトル密度（ＰＳＤ）の例示的なグラフ１００を示す。
【図４】本発明の一態様によるＲＦ信号の時間平均化されたＰＳＤの例示的なグラフ１００を示す。
【図５】本発明の一態様によるＲＦ信号の時間平均化されたＰＳＤを重ね合わせた例示的なグラフを示す。
【図６】本発明の一態様によるＲＦ信号時間平均化されたＰＳＤを重ね合わせた別の例示的なグラフを示す。
【図７】本発明の一態様による、入力ＲＦ信号中のなりすまし信号成分を検出する方法を示す。
【発明を実施するための形態】
【０００７】
本発明は、概して、無線周波数（ＲＦ）受信システムに関し、具体的には、ＲＦ信号なりすましを検出するシステムおよび方法に関する。ＲＦ受信システムは、ＲＦ入力信号を受信するように構成されたアンテナと、このＲＦ入力信号の等価デジタル信号を生成するように構成されたＲＦ信号フロントエンドとを含む。この等価のデジタル信号が、ＲＦ入力信号中のなりすまし信号成分を検出するように構成されたなりすまし検出システムに提供される。一例として、なりすまし検出システムは、等価デジタル信号のパワースペクトル密度（ＰＳＤ）を生成し、この等価のデジタル信号のＰＳＤを、なりすまし信号成分を含んでいないことがわかっているＲＦ入力信号に基づいてあらかじめ生成された所定の基準ＰＳＤと比較するように構成される。これにより、なりすまし検出システムは、ＲＦ入力信号におけるなりすまし信号成分の存在を、比較に基づいて検出できる。
【０００８】
一例として、ＲＦ受信システムは全地球測位衛星（ＧＰＳ）受信システムであってもよい。電子攻撃（ＥＡ）送信機は、対象のナビゲーションシステムを妨害、なりすまし、あるいは干渉を試みることで、受信側フロントエンド変換関数の基本シグネチャを変形する。ＲＦ信号フロントエンドシステムは、変形を高忠実度で監視できるように、全地球ナビゲーション衛星システム（ＧＮＳＳ）信号帯域幅の全体を高ダイナミックレンジで取り込むことが可能である。ＥＡ送信機の変換関数が引き起こされる変形が大きいほど、強力な検出検定統計量が得られる。
【０００９】
なりすまし検出システムはＰＳＤプロセッサを含み、ＰＳＤプロセッサは、なりすまし検出システムが従来の脅威（ＣＴ）と新たな脅威（ＥＴ）との両方に対して敏感になるように、受信したＲＦ信号に離散フーリエ変換（ＤＦＴ）演算を実行する。ＰＳＤプロセッサ内のＤＦＴエンジンは、受信したＲＦ入力信号の帯域を等価デジタル信号を介して掃引して、ＰＳＤの推定値を計算する。なりすまし検出システムは、掃引が完了するまで、受信したＲＦ入力信号の帯域の値をバッファできる。正規化コンポーネントが正規化を実行して、振幅の感度を除去する。リアルタイムに推定されたＰＳＤシグネチャから記憶された所定の基準ＰＳＤを減算して、スペクトル差分インジケータ検定統計量が算出される。
【００１０】
図１は、本発明の一態様によるＲＦ受信システム１０の例を示す。ＲＦ受信システム１０は、様々なＲＦ信号用途において実施できる。一例として、ＲＦ受信システム１０は、多様なナビゲーション用途において実施できるＧＰＳ受信システムであってよく、これには例えば航空、船舶用途、および武器ガイダンスシステム、あるいは航空、船舶用途、または武器ガイダンスシステムがある。
【００１１】
ＲＦ受信システム１０は、アンテナ１２とＲＦ信号フロントエンドシステム１４とを含む。アンテナ１２は、ＧＰＳ信号のようなＲＦ信号を受信するように構成されている。図１の例では、ＲＦ信号を、アンテナ１２から提供された信号ＩＮとして示している。ＲＦ信号フロントエンドシステム１４は、多様なデジタルアンテナ電子機器（ＤＡＥ）を含み、これには、アナログ／デジタル変換機（ＡＤＣ）、利得制御、および様々なその他の信号処理コンポーネントなどが含まれる。ＲＦ信号フロントエンドシステム１４は、ＲＦ信号ＩＮのデジタル等価であるデジタル信号ＤＩＧを生成するように構成されている。一例として、デジタル信号ＤＩＧは、ＲＦ信号ＩＮと直接等価、あるいは、ＲＦ信号フロントエンドシステム１４によって中間周波数（ＩＦ）へ増幅および復調、あるいは増幅または復調されるなどの処理を施されたものであってもよい。
【００１２】
デジタル信号ＤＩＧは、検出システム１６に提供され、検出システム１６は、ＲＦ信号ＩＮ中のなりすまし信号成分の存在を、デジタル信号ＤＩＧに基づいて検出するように構成されている。図１の例では、なりすまし検出システム１６は、デジタル信号ＤＩＧのパワースペクトル密度（ＰＳＤ）表現を生成するように構成されたＰＳＤプロセッサ１８を含む。一例として、ＰＳＤプロセッサ１８は、１個以上の時間および振幅ベースのアルゴリズム、あるいは１個以上の時間または振幅ベースのアルゴリズムを実行して、デジタル信号ＤＩＧのＰＳＤを生成する。例えば、ＰＳＤプロセッサ１８は、デジタル信号ＤＩＧのＰＳＤの時間ベースの平均値を生成するように構成するとともに、デジタル信号ＤＩＧのＰＳＤの大きさを正規化するか、あるいはデジタル信号ＤＩＧのＰＳＤの時間ベースの平均値を生成するように構成するか、または、デジタル信号ＤＩＧのＰＳＤの大きさを正規化することができる。その結果、なりすまし信号成分の検出が精密になり、かつ、温度変動などによる振幅変動に対して実質的に無関係になる。
【００１３】
なりすまし検出システム１６は、デジタル信号ＤＩＧのＰＳＤを所定の基準ＰＳＤと比較するように構成されたＰＳＤコンパレータ２０をさらに含む。一例として、所定の基準ＰＳＤは、なりすまし信号成分を含んでいないことがわかっている、先に受信したＲＦ信号のＰＳＤと対応する。あるいは、所定の基準ＰＳＤは、オフラインでシミュレーションされたデータと対応してもよい。所定の基準ＰＳＤは、デジタル信号ＤＩＧのＰＳＤを所定の基準ＰＳＤと比較するために、所定の基準ＰＳＤに定期的にアクセスできるように、なりすまし検出システム１６内のメモリに記憶することができる。
【００１４】
一例として、デジタル信号ＤＩＧのＰＳＤと所定の基準ＰＳＤとの比較は、ＲＦ信号ＩＮ中のなりすまし信号成分を検出するために、所定の基準ＰＳＤに関連してデジタル信号ＤＩＧのＰＳＤに対するＰＳＤ統計的差分アルゴリズムを適用することに基づいてよい。例えば、統計的差分アルゴリズムは、所定の基準ＰＳＤに関連してデジタル信号ＤＩＧのＰＳＤに対する差分の標準偏差であってもよい。差分の標準偏差が、例えば、デジタル信号のＰＳＤの大半部分に亘ってしきい値を超えると、ＰＳＤコンパレータ２０が、ＲＦ信号ＲＦ中のなりすまし信号成分の存在を決定することができる。
【００１５】
図２は、本発明の一態様によるなりすまし検出システム５０の一例を示す。なりすまし検出システム５０は、図１の例のなりすまし検出システム１６と対応するものであってもよい。そのため、以下の図２の例の記述では図１の例を参照する。さらに、なりすまし検出システム５０はハードウェア、ソフトウェア、またはハードウェアとソフトウェアの組み合わせにて実施できることが理解されるべきである。
【００１６】
なりすまし検出システム５０は、例えばＲＦ信号フロントエンドシステム１４からのデジタル信号ＤＩＧを受信するように構成されたＰＳＤプロセッサ５２を含む。ＰＳＤプロセッサ５２は、デジタル信号ＤＩＧのＰＳＤを生成するように構成されている。例えば、ＰＳＤプロセッサ５２は、デジタル信号ＤＩＧの周波数帯域を掃引し、その中のサンプルに離散フーリエ変換（ＤＦＴ）演算を実行して、ＲＦ信号ＩＮのＰＳＤの推定値を生成することができる。一例として、ＰＳＤプロセッサ５２が生成したＰＳＤは次式のように定義できる。
【００１７】
【数１】
0006363637.tif 000002
ここで、Ｎは、ＰＳＤを形成する時間ブロック内のサンプルの数と対応し、
Ｄ（ｉ）は、ＲＦ信号フロントエンドシステム１４からのデータサンプルと対応し、
〜Ｄ（ｋ）は、ＤＦＴ、ｋ＝−Ｎ／２．．．Ｎ／２と対応する。
【００１８】
したがって、式１は、ＰＳＤプロセッサ５２が所与の時間ブロック内において生成したＰＳＤに関連する関数を定義している。図３は、本発明の一態様によるＲＦ信号ＩＮのＰＳＤ１００の一例を示す。ＰＳＤ１００は、式１で定義されたもののような、ＰＳＤプロセッサによって生成できる。図３の例では、ＰＳＤ１００は約２８ＭＨｚの帯域幅を持つものとして示されている。一例として、ＰＳＤ１００は１ミリ秒（ｍｓ）の時間ブロックに亘って生成することができる。例えば、５６．３２メガサンプル／秒（ＭＳＰＳ）のサンプルレートにおいて、ＰＳＤプロセッサ５２は、１ｍｓの時間ブロック内の５６，３２０個のサンプルに基づいて時間平均化されたＰＳＤを生成することができる。ＰＳＤプロセッサ５２は、デジタルサンプルＤＩＧのデジタルサンプルを受信すると、デジタルサンプルＤＩＧのＰＳＤ（例えばＰＳＤ１００）を継続的かつ連続的に生成することができる。
【００１９】
再び図２の例を参照すると、ＰＳＤプロセッサ５２は、デジタル信号ＤＩＧのＰＳＤの時間平均を生成するように構成された平均化コンポーネント５４を含んでいる。平均化コンポーネント５４が生成した時間平均により、所定数の時間ブロックに亘ってデジタル信号ＤＩＧのＰＳＤが平均化されて、ＲＦ信号ＩＮ内のなりすまし信号成分を検出する際に、なりすまし検出システム５０を最適化等を行なって、正確性対応答時間のバランスをとることができる。平均化コンポーネント５４がデジタル信号ＤＩＧの時間平均化されたＰＳＤを生成することで、様々な時間ブロックを実施することが可能である。例えば、平均化コンポーネント５４は、複数の１ｍｓブロック（例えば、１個の時間ブロック毎に５６，３２０サンプル）に亘って、デジタル信号ＤＩＧの時間平均化されたＰＳＤを形成できる。
【００２０】
図４は、本発明の一態様によるＲＦ信号ＩＮの時間平均化されたＰＳＤの例示的なグラフ１５０を示す。図４の例では、時間平均化されたＰＳＤの各々は、図３の例でのＰＳＤ１００の時間平均と対応するものであってもよい。グラフ１５０は、５０個の時間ブロックに亘り時間平均化されたＰＳＤと対応する第１ＰＳＤ１５２と、１００個の時間ブロックに亘り時間平均化されたＰＳＤと対応する第２ＰＳＤ１５４と、５００個の時間ブロックに亘り時間平均化されたＰＳＤと対応する第３ＰＳＤ１５６とを含んでいる。グラフ１５０で示すように、時間平均化されたＰＳＤ１０２、１０４、１０６の生成における時間ブロック数が多いほど、時間平均化されたＰＳＤの解像度が高くなる。先述した図３の例では、ＰＳＤ１００は、非常に雑音が多いものとして示され、ピークの約−１４ｄＢ／Ｈｚ（つまり、約１３．６ＭＨｚの中心周波数における）から、約−９０ｄＢ／Ｈｚ（つまり、約１ＭＨｚ、および２６〜２７ＭＨｚの周波数における）以上までの出力範囲にわたっている。しかし、時間平均化されたＰＳＤ１５２、１５４、１５６は、ピークの約−１７ｄＢ／Ｈｚから、約−５５ｄＢ／Ｈｚ（つまり、約０〜２ＭＨｚと２６〜２８ＭＨｚの間の周波数における）までの出力領域にわたっている。したがって、ＰＳＤを時間平均化することで、より著しく高解像度のＰＳＤが得られる。さらに、平均化コンポーネント５４が実行する時間平均化における時間ブロック数を増加させると、応答時間が短くなる一方で、それぞれの時間平均化されたＰＳＤの解像度をさらに高めることが可能である。
【００２１】
再び図２の例を参照すると、なりすまし検出システム５０は、メモリ５６および正規化コンポーネント６０を含む。メモリ５６は、所定の基準ＰＳＤ５８を記憶するように構成されている。一例として、この所定の基準ＰＳＤ５８は、既にＲＦ信号から取得した、なりすまし信号成分を含んでいないことがわかっているＰＳＤであってもよい。ＰＳＤプロセッサ５２は、先のＲＦ信号を受信し、また、先述したものと同様に、平均化コンポーネント５４により先行のＲＦ信号の時間平均化されたＰＳＤを所定数の時間ブロックに基づいて生成することができる。そのため、所定数の時間ブロックは、ＲＦ受信機システム１０の通常動作中にデジタル信号ＤＩＧの時間平均化されたＰＳＤを生成する際に、平均化コンポーネント５４によって実行された時間ブロックの数と同数にして、ＲＦ信号ＩＮ中のなりすまし信号成分を検出することができる。
【００２２】
正規化コンポーネント６０は、デジタル信号ＤＩＧの時間平均化されたＰＳＤを、所定の基準ＰＳＤ５８に対して正規化するように構成されてもよい。図５は、本発明の一態様によるＲＦ信号のＰＳＤを重ね合わせた例示的なグラフ２００を示す。グラフ２００は、デジタル信号ＤＩＧの時間平均化されたＰＳＤと対応可能な第１ＰＳＤ２０２と、所定の基準ＰＳＤ５８と対応可能な第２ＰＳＤ２０４とを含む。図５の例では、ＰＳＤ２０２は、ＰＳＤ２０４よりも全体的に大きな振幅を有する。ＰＳＤ２０４に対するＰＳＤ２０２の振幅の変動は様々な理由で生じる。例えば、このような理由の１つは、ＲＦ信号ＩＮにおけるなりすまし信号成分の存在であり、別の理由は、図１の例におけるＲＦ信号フロントエンドシステム１４の温度変化である。そのため、正規化コンポーネント６０は、デジタル信号ＤＩＧの時間平均化されたＰＳＤ（例えば、ＰＳＤ２０２）を、所定の基準ＰＳＤ５８（例えば、ＰＳＤ２０４）に対して正規化でき、これにより、デジタル信号ＤＩＧの時間平均化されたＰＳＤと所定の基準ＰＳＤ５８との比較が実質的に温度変化に無関係となる。
【００２３】
再び図２の例を参照すると、一例として、デジタル信号ＤＩＧの時間平均化されたＰＳＤを正規化するには、所定の基準ＰＳＤ５８の分析に基づいてＰＳＤプロセッサ５２にスケールファクタＳＦ＿ＰＳＤを提供するように正規化コンポーネント６０を構成することが可能である。これにより、ＰＳＤプロセッサ５２は、時間平均化されたＰＳＤにスケールファクタＳＦ＿ＰＳＤを乗算して、時間平均化されたＰＳＤを、所定の基準ＰＳＤ５８とほぼ同等の大きさに正規化することができる。別例として、正規化コンポーネント５６は正規化サイズを設定し、ＰＳＤプロセッサ５２にスケールファクタＳＦ＿ＰＳＤを、所定の基準ＰＳＤ５８にスケールファクタＳＦ＿ＢＬを提供して、時間平均化されたＰＳＤおよび所定の基準ＰＳＤ５８の各々が正規化サイズに正規化されるようにする。
【００２４】
デジタル信号ＤＩＧの時間平均化されたＰＳＤが正規化されると、この正規化され時間平均化されたＰＳＤが、図２の例で示したように、信号ＰＳＤを介してＰＳＤコンパレータ６２に提供される。ＰＳＤコンパレータ６２は、正規化され時間平均化されたＰＳＤを所定の基準ＰＳＤ５８と比較するように構成されている。一例として、ＰＳＤコンパレータ６２は、比較前に、デジタル信号ＤＩＧの時間平均化されたＰＳＤおよび所定の基準ＰＳＤ５８にデジタルフィルタリングを提供して、デジタル信号ＤＩＧ中に符号化された比較的狭帯域のデータが原因のスペクトル中の雑音形態の変動性を低減するように構成できる。例えば、ＧＰＳ受信機として構成されたＲＦ受信システム１０の例では、ＰＳＤコンパレータ６２は、デジタル信号ＤＩＧの時間平均化されたＰＳＤ、および所定の基準ＰＳＤ５８と対応する、それぞれのＧＰＳ信号中で符号化されたコース取得（Ｃ／Ａ）コードまたは軍事ナビゲーションコードに関連する時間平均化されたサンプルを除去（例えば無視）するように構成できる。
【００２５】
図６は、本発明の一態様による、ＲＦ信号の時間平均化されたＰＳＤを重ね合わせた別の例示的なグラフ２５０を示す。グラフ２５０は、デジタル信号ＤＩＧの時間平均化されたＰＳＤと対応する第１ＰＳＤ２０２と、所定の基準ＰＳＤ５８と対応する第２ＰＳＤ２０４とを示しており、これらは相互に関連して正規化されている。しかし、図６の例では、１３．６ＭＨｚにてほぼ中心となるピークが、第１ＰＳＤ２０２および第２ＰＳＤ２０４の各々における時間平均化されたサンプルを無視して、ＰＳＤコンパレータ６２に基づいて実質的に除去されている。図６の例では、フィルタリングされた領域の帯域幅は約４ＭＨｚとして示されているため、１１．６〜１５．６ＭＨｚの帯域幅が除去されたということになる。その結果、デジタル信号ＤＩＧの時間平均化されたＰＳＤ（例えば、第１ＰＳＤ）と、所定の基準ＰＳＤ５８（例えば、第２ＰＳＤ２０４）との比較を、デジタル信号ＤＩＧ内に符号化されたデータの変動に関係なく実行できるようになる。
【００２６】
再び図２を参照すると、ＰＳＤコンパレータ６２は、デジタル信号ＤＩＧの時間平均化されたＰＳＤと所定の基準ＰＳＤ５８との比較を実施するように構成された分析アルゴリズム６４を含んでいる。一例として、分析アルゴリズム６４は、例えば、ＲＦ信号ＩＮ中のなりすまし信号成分の存在を示すために、時間平均化されたＰＳＤと所定の基準ＰＳＤ５８とに関連した検定統計量を計算して、時間平均化されたＰＳＤと所定の基準ＰＳＤ５８との間の差分を求めることができる。一例として、分析アルゴリズム６４は、次式のとおり、デジタル信号ＤＩＧの時間平均化されたＰＳＤと所定の基準ＰＳＤ５８との間の差分の標準偏差を求めるように実施可能である。
【００２７】
【数２】
0006363637.tif 000003
ここで、ＰＳＤＡｖｇ（ｋ）は、ＭＡｖｇ時間ブロックに亘る平均化されたＰＳＤ、
ＰＳＤ（ｋ，ｍ）は、ブロックｍの正規化されたＰＳＤ、
ＭＡｖｇは、時間平均化に関連した時間ブロックの個数、
ＴＡｖｇは平均ウィンドウ（Ｔａｖｇ＝ＭＡｖｇＮＴｓ）の継続期間、
ｋは周波数ビン、
Ｔｓはサンプルサイズ（例えば、１／５６．３２ＭＨｚ）である。
【００２８】
式２に示された例示的なアルゴリズムでは、分散を計算する前に平均化が実行されることが理解されるべきである。
こうすることで、分析アルゴリズム６４が、式２に基づいて計算された検定統計を実施して、ＲＦ信号ＩＮ中のなりすまし信号成分の存在を検出することができる。一例として、式２に基づいて計算された検出マージンは、所定の基準ＰＳＤ５８に対するデジタル信号ＤＩＧの時間平均化されたＰＳＤの周波数帯域に亘りしきい値と比較できる大きさを有する。その結果、所定の基準ＰＳＤ５８に対して時間平均化されたＰＳＤの周波数帯域の大部分がしきい値を超過したことは、なりすまし信号成分の特徴を表す。これによって、ＰＳＤコンパレータ６２がなりすまし信号成分の存在を識別できるようになる。
【００２９】
なりすまし検出システム５０は図２の例に限定されるものではないことが理解されるべきである。一例として、なりすまし検出システム５０に関連して記述した機能の多くはソフトウェアにおいて実施できるため、ここで記述したコンポーネントを、必ずしも図２の例で述べたとおりの順序または装置において実施しなくてよいことが理解されるべきである。さらに、なりすまし検出システム５０は、簡素化の目的で図２の例には示されていない様々な追加のデータ処理コンポーネントを含むことができる。さらに、添付の付属書Ａは、ここで記述した、例えばなりすまし検出システム５０にて実施できる、なりすまし信号成分検出の１つの例示的な実施を提供している。
【００３０】
上で述べた前出の構造的および機能的特徴を鑑み、本発明の様々な態様による技法は、図７を参照してより認識される。説明を簡素化する目的で、図７の方法は連続的に実行するように図示および記述されているが、いくつかの態様は、本発明に従い、本明細書で図示および説明したものとは異なる順序で、および、本明細書で図示および説明したものと並行して、あるいは本明細書で図示および説明したものとは異なる順序で、または、本明細書で図示および説明したものと並行して実施できることから、本発明は例証された順序に限定されないことが理解および認識されるべきである。さらに、本発明の態様による技法を実施するためには、例証された全ての特徴が必要なわけではない。
【００３１】
図７は、本発明の一態様による、入力ＲＦ信号中のなりすまし信号成分を検出する方法３００を示す。符号３０２では、所定のＲＦ信号に関連した基準ＰＳＤを生成する。基準ＰＳＤは、なりすまし信号成分を含んでいないことがわかっている所定のＲＦ信号から生成されるか、または、非なりすましＲＦ信号をシミュレートするオフラインシミュレーションデータから生成される。符号３０４では、ＲＦ入力信号を受信する。ＲＦ入力信号は、ＧＰＳシステムのようなＲＦフロントエンドシステムにて受信することができる。符号３０６では、ＲＦ入力信号を処理して、等価のデジタル信号を生成する。ＲＦ入力信号の処理は、デジタル化されて、ＲＦ入力信号と対応するデジタルサンプルを生成することができる。
【００３２】
符号３０８では、等価デジタル信号のＰＳＤを生成する。等価デジタル信号のＰＳＤは、例えば基準ＰＳＤに関連した時間平均化の所定の時間ブロック数と等しい所定の時間ブロック数に亘り時間平均化された、等価デジタル信号のＰＳＤであってもよい。符号３１０では、等価デジタル信号のＰＳＤを基準ＰＳＤと比較して、入力ＲＦ信号中のなりすまし信号成分の存在を検出する。このＰＳＤの比較は、例えば、等価デジタル信号のＰＳＤおよび基準ＰＳＤに対する標準偏差を生成するといった、統計的差分アルゴリズムの実施に基づくものであってもよい。そのため、なりすまし信号成分は、等価デジタル信号のＰＳＤの標準偏差が基準ＰＳＤの標準偏差よりも所定のしきい値だけ大きくなった場合に検出される。
【００３３】
これまで述べてきたのは、本発明の例である。当然、本発明を記述する目的で、コンポーネントまたは技法の考え得る全ての組み合わせを説明することは不可能であるが、当業者には、本発明の多くのさらなる組み合わせおよび構成が可能であることがわかるだろう。したがって、本発明は、添付の請求項の趣旨および範囲に入る全てのこうした変更、修正、変形を包括するものとする。
【図１】
0006363637.tif 000004
【図２】
0006363637.tif 000005
【図３】
0006363637.tif 000006
【図４】
0006363637.tif 000007
【図５】
0006363637.tif 000008
【図６】
0006363637.tif 000009
【図７】
0006363637.tif 000010